(57)【要約】      （修正有）【課題】ネックレスの装着中のずれを防止するため、簡単な構造および操作で課題を解決することができるネックレスを提供する。【解決手段】このネックレス本体１２には該ネックレス本体に係止される所定長さの連結部材１６と、該連結部材の端部に取り付けた磁石もしくは磁性体からなる移動防止手段１５を設け、他方、衣服のタグ部分には磁石もしくは磁性体からなる吸着手段１７を設け、該移動防止手段および吸着手段を互いに連結して該ネックレス本体の装着時のずれを防止できるようにしたことを特徴とする。【選択図】図１
0003156140.tif 000002
【実用新案登録請求の範囲】
【請求項１】
ネックレス本体には該ネックレス本体に係止される所定長さの連結部材と、該連結部材の端部に取り付けた磁石もしくは磁性体からなる移動防止手段を設け、他方、衣服のタグ部分には磁石もしくは磁性体からなる吸着手段を設け、該移動防止手段および吸着手段を互いに連結して該ネックレス本体の装着時のずれを防止できるようにしたことを特徴とするネックレス。
【請求項２】
前記衣服のタグ部分に設けた吸着手段は、タグ部分に設けたポケット状収納部に磁石もしくは磁性体を収納してなることを特徴とする請求項１記載のネックレス。
【請求項３】
前記衣服のタグ部分に設けた吸着手段は、磁石もしくは磁性体に形成したフックを衣服のタグ部分に取り付けてなることを特徴とする請求項１記載のネックレス。
【考案の詳細な説明】
【技術分野】
【０００１】
この考案は、ネックレスに関するものであり、特に、ネックレスに移動防止手段を設け、該移動防止手段によってネックレスと衣類とを接続してネックレスのずれを防止するように構成したネックレスに関するものである。
【背景技術】
【０００２】
従来のネックレスは種類及び形状等、種々のものが知られているが、例えば、首回りに装着するネックレス本体と、該ネックレス本体の端部に備えられ、該ネックレス本体の端部間を結着する止め金具と、該ネックレス本体の中央部に設けられるペンダントトップとを備えたものが知られている。このようなネックレスは装着中に装着者の体の動きによって、左右にずれが生じることがあり、このずれが容易に元に戻らない場合も発生した。
このずれが生じることや、ずれが元に戻らないことによって、デザイン的な装飾効果を損なう場合や、止め金具が前方にずれて美観を損なう場合があり、又、ずれる度に装着者がずれを直すことも煩雑であった。
【０００３】
そのため、特開２００５−１１８３２４号公報（特許文献１参照）に示す考案が提案されている。すなわち、ネックレスを保持するための保持手段と、衣類に係止するための係止手段とを備え、首に掛けたネックレスを該保持手段によって保持すると共に、該係止手段によって衣類に係止してネックレスの装着時におけるずれを防止するように構成されているネックレスのずれ防止具であり、上記挟持手段は互いに吸着する一対の磁石からなるものである。
また、特開２００３−２１０２２２号公報（特許文献２参照）に示す考案は、ネックレス本体に該ネックレス本体と衣類とを連結して該ネックレス本体の装着時のずれを防止するずれ防止手段を設け、該ずれ防止手段は一端部を該ネックレス本体に係止される所定長さの連結部材と、該連結部材の他端部に止着された係止手段とを備え、該係止手段は、例えば、互いに吸着自在の一対の磁石を備え、該磁石の吸着力によって衣類に挟着させるように構成されたネックレスである。
実用新案登録第３１４３９３２号（特許文献３参照）に示す考案は、挟持片及び挟持片は、磁石により互いに面接合して吸着自在である。挟持片及び挟持片は、互いに分離独立して設けられる。鎖部は、挟持片に基端を支持された所定長の長尺状をなす。第１〜第３の連結環は、鎖部の先端位置及び先端と基端との間の所定間隔を置いた中央位置にそれぞれ支持され、ネックレスの留め具に着脱自在となっている。
実用新案登録第３１１３６８６号（特許文献４参照）に示す考案は、ネックレスの留め金を所定位置に固定するためのネックレス用固定具であって、洋服を挟むことができるように、全体的にクリップ状形態をなし、互いに対向して洋服を挟む第１挟持部分と第２挟持部分と、これら第１挟持部分と第２挟持部分との間に延びる連結部と、この連結部に設けられた、前記第１挟持部分と前記第２挟持部分を開閉可能にするヒンジ部分と、チェーンを取付けるためのチェーン取付部とを有し、前記第１挟持部分の対向部分は磁力のある素材で構成され、また前記第２把持部分の対向部分は磁力によって引きつけられる材料によって構成されているネックレス用固定具である。
【先行技術文献】
【特許文献】
【０００４】
【特許文献１】特開２００５−１１８３２４号公報
【特許文献２】特開２００３−２１０２２２号公報
【特許文献３】実用新案登録第３１４３９３２号公報
【特許文献４】実用新案登録第３１１３６８６号公報
【考案の開示】
【考案が解決しようとする課題】
【０００５】
しかしながら、いずれの先行技術も一対の磁石、あるいは磁石と磁性体との組合せからなる挟持手段で衣服を挟持するものであり、一対の磁石等が必要であって、しかも衣服に取付ける際には一対の磁石等で衣服を挟み付けるよう操作しなければならないという手間がかかってしまう。
そこで、この考案はネックレスの装着中のずれを防止するため、簡単な構造および操作で課題を解決することができるネックレスを提供することを目的とする。
【課題を解決するための手段】
【０００６】
この考案のネックレスは上記目的を達成するために提案されたものであり、ネックレス本体には該ネックレス本体に係止される所定長さの連結部材と、該連結部材の端部に取り付けた磁石もしくは磁性体からなる移動防止手段を設け、他方、衣服のタグ部分には磁石もしくは磁性体からなる吸着手段を設け、該移動防止手段および吸着手段を互いに連結して該ネックレス本体の装着時のずれを防止できるようにしたことを特徴とするものである。
【０００７】
この考案のネックレスにおいて、前記衣服のタグ部分に設けた吸着手段は、タグ部分に設けたポケット状収納部に磁石もしくは磁性体を収納してなることをも特徴とするものである。
【０００８】
この考案のネックレスにおいて、前記衣服のタグ部分に設けた吸着手段は、磁石もしくは磁性体に形成したフックを衣服のタグ部分に取り付けてなることをも特徴とするものである。
【考案の効果】
【０００９】
この考案のネックレスは、ネックレス本体には該ネックレス本体に係止される所定長さの連結部材と、該連結部材の端部に取り付けた磁石もしくは磁性体からなる移動防止手段を設け、他方、衣服のタグ部分には磁石もしくは磁性体からなる吸着手段を設けることにより、該移動防止手段および吸着手段を互いに連結して該ネックレス本体の装着時のずれを防止できるようにするとともに、ずれによってデザイン的な装飾効果を損なうことがなく、また、止め金具が前方にずれて美観を損なうことがなく、さらに装着者がずれる度にずれを直す煩雑さもなくすことが可能となった。
【００１０】
この考案のネックレスは、前記衣服のタグ部分に設けた吸着手段が円盤状、球状、シート状等の適宜形状の磁石もしくは磁性体を備え、これを衣服のタグ部分に収納したり、磁石もしくは磁性体に形成したフックを衣服のタグ部分に取り付けてなるものであって、衣服のデザイン的な装飾効果を損なうことがなく、しかも衣服に取付ける際には一対の磁石等で衣服を挟み付ける操作が不要となり、ワンタッチで前記移動防止手段を吸着手段に取り付けることができる。
【図面の簡単な説明】
【００１１】
【図１】この考案のネックレスの実施の形態を示す移動防止手段と吸着手段の取付け前の斜視図である。
【図２】取付け後の斜視図である。
【図３】タグ部分を取り付けた衣服の正面図である。
【図４】（ａ）タグ部分の１例を示す斜視図である。（ｂ）タグ部分の他の例を示す斜視図である。
【図５】（ａ）タグ部分の別の例を示す斜視図である。（ｂ）その分解図である。（ｃ）その背面側から見た斜視図である。
【図６】タグ部分にネックレスを取り付けた衣服の斜視図である。
【図７】長めの連結部材を取り付けたネックレスの正面図である。
【図８】短めの連結部材を取り付けたネックレスの正面図である。
【考案を実施するための形態】
【００１２】
以下、この考案の実施の形態を図１ないし図７にしたがって詳述する。
図１および図２において、１１はネックレスであり、該ネックレス１１はネックレス本体１２の端部に止め金１３が備えられて止着自在となっており、該ネックレス本体１２中央部にペンダントトップ１４が設けられている。
【００１３】
そして、該ネックレス本体１２の前記止め金１３近傍に、あるいは前記止め金１３に直接、前記ネックレス本体１２の装着中のずれを防止する移動防止手段１５が着脱自在にあるいは固定されて設けられている。
該移動防止手段１５は、鎖や紐状体等から成る所定長さを備えた連結部材１６の端部に止着された磁石もしくは磁性体からなるものである。
【００１４】
１７は、例えば図３の衣服２１のタグ部分２２に設けた吸着手段であり、該吸着手段１７は磁石もしくは磁性体からなるものであって、前記移動防止手段１５をこの吸着手段１７に、該磁石もしくは磁性体の吸着力によって吸着させるように構成されている。
このように、前記ネックレス１１は前記移動防止手段１５を設けることによって、前記ネックレス１１のずれが簡単に防止され、ずれによってデザイン的な装飾効果を損なうことや、止め金１３が前方にずれて美観を損なうことがなく、また装着者がずれる度にずれを直す煩雑さもなくなる。
さらに、前記磁石もしくは磁性体を備えた吸着手段１７は構成が簡単であり、かつ簡単に衣服２１に取着することができる。
【００１５】
図５は、前記衣服に取着したポケット状収納部に磁石もしくは磁性体を収納、磁石もしくは磁性体を備えた吸着手段１７の別の例を説明するためのものであり、図４（ａ），（ｂ）に示す前記タグ部分２２に設けた吸着手段１７は、円盤状、球状の磁石もしくは磁性体からなるものである。
この例では、衣服のタグ部分２２にポケット状の収納部２３が設けてあり、該ポケット状収納部２３に円盤状、球状の磁石もしくは磁性体からなる吸着手段１７を１個または複数個収納している。図４（ａ）は該ポケット状収納部２３の上部のみを縫製して吸着手段１７を抜け止めした状態を示し、図４（ｂ）は該ポケット状収納部２３の上部のみならず、タグ部分２２の上部を一連に縫製して吸着手段１７を抜け止めした状態を示ものである。２４はそれぞれ当該抜け止め部である。
【００１６】
図５は、前記衣服に取着した、磁石もしくは磁性体を備えた吸着手段１７を説明するためのものであり、図５（ａ）〜（ｃ）に示す前記タグ部分２２に設けた吸着手段１７は、板状あるいはシート状の磁石もしくは磁性体からなるものである。
この例では、吸着手段１７はクリップ１８を備え、該クリップ１８で衣服のタグ部分２２に挟着させるように構成されている。図４（ａ）は該クリップ１８で衣服のタグ部分２２に挟着した状態を示し、図４（ｂ）は吸着手段１７をタグ部分２２へ組み付ける前の背面状態を示し、図４（ｃ）は組み付けた後の背面状態を示すものである。
【００１７】
図５は、前記ネックレス１１の移動防止手段１５を衣服２１のタグ部分２２に取り付けた吸着手段１７に取り付けた状態を説明するためのものである。
前記ネックレス１１は、移動防止手段１５を衣服２１のタグ部分２２に取り付けた吸着手段１７に磁力によって簡単に取り付けることができ、また止め金１３がその自重で身体の前面に下がってしまうことも確実に防止することができる。
なお、ネックレス１１と移動防止手段１５とは変形自在の連結部材１６によって連結されているので、身体への装着時にもネックレス１１の取付位置等において何らの不自由さを感じることがない。
【００１８】
なお、ネックレス１１と移動防止手段１５とを変形自在の連結部材１６によって連結するに際しては、図６のように長めの連結部材１６を用いて連結しても、図７のように短めの連結部材１６を用いて連結してもよい。
この連結部材１６は上述のように、ネックレス１１の適所に取付けても、また止め金１３の一方に直接取付けてもよい。該止め金１３として各図では引輪を例示しているが、クラスプその他の連結手段を用いてもよいことは明白である。
【産業上の利用可能性】
【００１９】
この考案はネックレスに装着時のずれを防止する移動防止手段を設けることを主眼とするものであるが、ブレスレットやアンクレット等に適用することも可能であることはいうまでもない。
そのような場合、衣服２１のタグ部分２２に吸着手段１７を取り付ける方法に代えて、衣服の袖の部分や靴下の適所にタグ部分に代わるものを取付けておくことが望ましい。
【符号の説明】
【００２０】
１１  ネックレス
１２  ネックレス本体
１３  止め金
１４  ペンダントトップ
１５  移動防止手段
１６  連結部材
１７  吸着手段
１８  クリップ
２１  衣服
２２  タグ部分
２３  ポケット状収納部
２４  抜け止め部
【図１】
0003156140.tif 000003
【図２】
0003156140.tif 000004
【図３】
0003156140.tif 000005
【図４】
0003156140.tif 000006
【図５】
0003156140.tif 000007
【図６】
0003156140.tif 000008
【図７】
0003156140.tif 000009
【図８】
0003156140.tif 000010